(57)【要約】【課題】排水量を抑えつつ、止水手段を開いてから適温水が吐出されるまでの時間を短縮することができる給湯装置を提供する。【解決手段】高温水と低温水とを混合して湯を出湯する混合部と、前記高温水を前記混合部に給湯する給湯配管と、前記給湯配管から分岐する分岐管と、前記分岐管に備えられて排水と非排水を切替える排水部と、前記給湯配管内の水の温度を測定するための温度測定部と、前記温度測定部による測定結果に応じて前記排水部の切替え制御を行う制御部と、を備える給湯装置としている。【選択図】図１
2015031456.tif 000002
【特許請求の範囲】
【請求項１】
高温水と低温水とを混合して湯を出湯する混合部と、
前記高温水を前記混合部に給湯する給湯配管と、
前記給湯配管から分岐する分岐管と、
前記分岐管に備えられて排水と非排水を切替える排水部と、
前記給湯配管内の水の温度を測定するための温度測定部と、
前記温度測定部による測定結果に応じて前記排水部の切替え制御を行う制御部と、を備えることを特徴とする給湯装置。
【請求項２】
前記給湯配管に設けられる逆止弁を更に備え、
前記分岐管は、前記逆止弁よりも上流側で分岐することを特徴とする請求項１に記載の給湯装置。
【請求項３】
前記給湯配管から分岐する第２の給湯配管と、
前記低温水を給水する給水配管から分岐する第２の給水配管と、
前記第２の給湯配管を給湯される高温水と、前記第２の給水配管を給水される低温水とを混合して湯を出湯する第２の混合部と、を更に備えることを特徴とする請求項１又は請求項２に記載の給湯装置。
【請求項４】
前記排水部は、電磁弁で構成されることを特徴とする請求項１〜請求項３のいずれか１項に記載の給湯装置。
【発明の詳細な説明】
【技術分野】
【０００１】
本発明は、給湯装置に関するものである。
【背景技術】
【０００２】
従来、給湯栓（止水栓）を開いてから適温水が吐出されるまでの時間を短縮できる給湯装置が知られている。
【０００３】
例えば特許文献１には、給湯器と給湯栓とを接続する給湯配管の途中に配置される即湯器を備える給湯装置が開示されている。この給湯装置では、給湯栓を閉じているときに、即湯器と給湯栓との間の給湯用水を定期的に排水し、即湯器により温められた給湯用水が即湯器と給湯栓との間に供給される。これにより、給湯栓を開いて冷水が出湯されるのを防止している。  
【０００４】
また、例えば特許文献２には、給湯器、給湯配管、及び給湯栓を備えた給湯装置において、給湯配管の出口部付近から分岐した配管に排水弁を、給湯配管の入口部付近に電動混合弁を、給湯配管に温度センサーを備えた給湯装置が開示されている。この給湯装置では、給湯配管の保温時間の設定に基づき、間欠的にぬるめの湯を給湯配管に供給し、給湯配管を温める。これにより、給湯栓を開くと短時間で所望の温度の湯が吐出される。
【先行技術文献】
【特許文献】
【０００５】
【特許文献１】特開２００５−６１７８８号公報
【特許文献２】特開平７−４７４５号公報
【発明の概要】
【発明が解決しようとする課題】
【０００６】
しかしながら、上記特許文献１の給湯装置では、即湯器と給湯栓との間の給湯用水を定期的に排水するので、一定時間が経過すると、即湯器と給湯栓との間の給湯用水がいまだ温度が高い場合でも排水されてしまう。
【０００７】
また、上記特許文献２の給湯装置では、電動混合弁よりも下流側に排水弁を設けているため、電動混合弁により水温を調整するための低温水（給湯器からの高温水と混合するための水）も排水してしまうことになる。また、間欠的に供給する湯の設定温度が低い場合、電動混合弁により給湯器からの高温水を混合する割合が少ないため、給湯器からの湯の吐出量が少なくなり、給湯器が作動しない場合がある。従って、給湯配管を温めることができない虞がある。
【０００８】
上記問題点に鑑み、本発明は、排水量を抑えつつ、止水手段を開いてから適温水が吐出されるまでの時間を短縮することができる給湯装置を提供することを目的とする。
【課題を解決するための手段】
【０００９】
上記目的を達成するために本発明の給湯装置は、高温水と低温水とを混合して湯を出湯する混合部と、
前記高温水を前記混合部に給湯する給湯配管と、
前記給湯配管から分岐する分岐管と、
前記分岐管に備えられて排水と非排水を切替える排水部と、
前記給湯配管内の水の温度を測定するための温度測定部と、
前記温度測定部による測定結果に応じて前記排水部の切替え制御を行う制御部と、を備える構成としている（第１の構成）。
【００１０】
このような構成によれば、止水手段を閉じた状態で、給湯配管内の水の温度が低くなると、制御部の制御により排水部は給湯配管内の水の排水を行う。これにより、高温水が給湯配管に供給される。従って、常に給湯配管に高温水が供給されている状態となり、止水手段を開くと、混合部により生成された適温の湯が短時間で吐出される。
【００１１】
また、給湯配管内の水がいまだ高い温度である場合は、制御部の制御により排水部は排水を行わないので、無駄に排水されることがない。更に、混合部よりも上流側に配される給湯配管内の水が排水されるので、排水量を抑えることができる。
【００１２】
また、上記第１の構成において、前記給湯配管に設けられる逆止弁を更に備え、前記分岐管は、前記逆止弁よりも上流側で分岐する構成としてもよい（第２の構成）。
【００１３】
このような構成によれば、排水部により排水されるときに、逆止弁により逆流が抑制されるので、低温水が混合部を介して排水されることを抑制できる。
【００１４】
また、上記第１又は第２の構成において、前記給湯配管から分岐する第２の給湯配管と、
前記低温水を給水する給水配管から分岐する第２の給水配管と、
前記第２の給湯配管を給湯される高温水と、前記第２の給水配管を給水される低温水とを混合して湯を出湯する第２の混合部と、を更に備える構成としてもよい（第３の構成）。
【００１５】
このような構成によれば、給湯配管内の水の温度が低くなると、制御部の制御により排水弁が第２の給湯配管内の水を排水する。これにより、第２の給湯配管に高温水が供給される。従って、常に第２の給湯配管に高温水が供給されている状態となり、第２の止水手段を開くと、第２の混合部により生成された適温の湯が短時間で吐出される。従って、複数の給湯系統において、それぞれの止水手段を開いたときに適温水が短時間で吐出される。
【００１６】
また、上記第１〜第３のいずれかの構成において、前記排水部は、電磁弁で構成されることとしてもよい（第４の構成）。
【００１７】
このような構成によれば、停電時に電磁弁は閉じた状態となるので、排水が継続されることを抑制できる。
【発明の効果】
【００１８】
本発明の給湯装置によると、排水量を抑えつつ、止水手段を開いてから適温水が吐出されるまでの時間を短縮することができる
【図面の簡単な説明】
【００１９】
【図１】本発明の第１実施形態に係る給湯装置の構成を示す図である。
【図２】本発明の第２実施形態に係る給湯装置の構成を示す図である。
【発明を実施するための形態】
【００２０】
以下に本発明の一実施形態について図面を参照して説明する。
【００２１】
＜第１実施形態＞
本発明の第１実施形態に係る給湯装置の構成を図１に示す。図１に示す本発明の第１実施形態に係る給湯装置１００は、給湯配管２、電子制御ミキシング部３、給水配管４、止水栓５、外部給湯配管６、分岐部７、排水弁８、減圧弁９、温度センサー１０、逆止弁１１、減圧弁１２、逆止弁１３、制御部１４、及び分岐管１５を備えている。なお、給湯装置１０は様々な形態を採りうるが、一例としては浴槽を備え、当該浴槽に外部給湯配管６の端部から給湯するものである。
【００２２】
給湯配管２の一端部は、建築設備の壁Ｗにおいて給湯配管１７と接続されており、他端部は電子制御ミキシング部３の入湯口３Ａに接続されている。給湯配管１７は長距離にわたって配されており、給湯配管１７の壁Ｗ側と反対側の端部はボイラー１に接続されている。ボイラー１は、給水された低温水を所定の温度（例えば６０℃程度）まで加熱して高温水を給湯配管１７に吐出する。
【００２３】
給湯配管２の途中には、壁Ｗ側である上流側から順に、減圧弁９、温度センサー１０、分岐部７、逆止弁１１が設けられる。分岐部７により給湯配管２から分岐されて配される分岐管１５の途中には、排水弁８が設けられる。
【００２４】
減圧弁９は、給湯する水の圧力を所定の圧力まで減圧する弁である。温度センサー１０は、給湯配管２内の水の温度を測定するセンサーである。逆止弁１１は、下流側の水が上流側（即ち、電子制御ミキシング部３側から分岐部７側へ）へ逆流することを抑制する。
【００２５】
排水弁８は、電磁弁で構成され、温度センサー１０の測定結果に応じて制御部１４によって開閉が制御される。
【００２６】
給水配管４の一端部は、壁Ｗにおいて不図示の給水配管に接続され、当該給水配管から給水配管４へ低温水が給水される。一方、給水配管４の他端部は、電子制御ミキシング部３の入水口３Ｂに接続される。給水配管４の途中には、上流側から順に減圧弁１２、及び逆止弁１３が設けられる。
【００２７】
減圧弁１２は、給湯する水の圧力を所定の圧力まで減圧する弁である。逆止弁１３は、下流側の水が上流側（即ち、電子制御ミキシング部３側から減圧弁１２側へ）へ逆流することを抑制する。
【００２８】
電子制御ミキシング部３は、入湯口３Ａから入湯される高温水と、入水口３Ｂから入水される低温水との混合比率を制御し、混合して生成された湯を出湯口３Ｃから吐出する。
【００２９】
外部給湯配管６の一端部は、電子制御ミキシング部３の出湯口３Ｃに接続され、他端部から外部へ給湯される。外部給湯配管６の途中には、上流側から順に温度センサー１６、及び止水栓５が設けられる。
【００３０】
温度センサー１６は、外部給湯配管６を流れる湯の温度を測定するセンサーである。温度センサー１６による測定結果が所定の設定温度（例えば４０°程度）になるように制御部１４は電子制御ミキシング部３を制御する。
【００３１】
止水栓５は利用者の手動により開閉可能であり、止水栓５を開けると給湯され、閉めると給湯が停止される。なお、止水栓５は自動的に開閉可能なものとしてもよい。
【００３２】
止水栓５が開いている場合、ボイラー１から吐出されて給湯配管１７及び給湯配管２を介して給水された高温水と、給水配管４を介して給水された低温水とが電子制御ミキシング部３によって混合され、混合によって生成された設定温度の湯が外部給湯配管６を通して外部へ給湯される（即ち、外部給湯配管６の端部から湯が吐出される）。
【００３３】
また、止水栓５が閉まっている状態で、制御部１４は、温度センサー１０により測定された水温が閾値温度（例えば５０℃程度）以下である場合、排水弁８を開き、そうでない場合は、排水弁８を閉じる制御を行う。
【００３４】
これにより、止水栓５が閉まっているときに、給湯配管２内に貯まっている高温水の温度が低下し、水温が閾値温度以下となると、排水弁８が開き、低温となった水が排水されることになる。なお、このとき、逆止弁１１より下流側（電子制御ミキシング部３側）の水は逆流しないので排水されない。これにより、給水配管４を介して給水される水が電子制御ミキシング部３及び給湯配管２を介して排水されることを抑制できる。
【００３５】
このような低温水の排水が行われると、水流の発生によってボイラー１が作動し、ボイラー１により加熱された高温水（例えば６０°程度の水）が給湯配管１７を介して給湯配管２に給水される。これにより、温度センサー１０による測定結果が上記閾値温度を超えると、制御部１４によって排水弁８が閉じられる。従って、高温水が給湯配管２（及び分岐管１５）内に貯められる。この後、再び給湯配管２内の水の温度が低下すると、排水弁８が開いて排水されて、新たな高温水が供給されることとなる。
【００３６】
このように、止水栓５が閉められた状態で、給湯配管２内には常に閾値温度を超えた高温水が貯められていることになる。従って、この状態で止水栓５を開けば、給湯配管２内に貯められた高温水が電子制御ミキシング部３に給水され、設定温度（例えば４０°程度）の湯が外部給湯配管６を通して外部に給湯される。つまり、止水栓５を開いてから短時間で適温水が外部給湯配管６の端部から吐出されることとなる。
【００３７】
また、温度センサー１０による測定結果が閾値温度以下とならなければ、排水はされないので、いまだ高い水温である水が無駄に排水されてしまうことを抑制できる。更に、電子制御ミキシング部３よりも上流側に配される給湯配管２内の水が排水されるので、排水量を抑えることができる。
【００３８】
また、給湯配管２内の低温となった水が排水されると、充分な流量の水流が発生するので、ボイラー１は確実に作動することができる。従って、加熱された高温水を確実に給湯配管２へ給水することができる。
【００３９】
また、排水弁８を電磁弁にて構成していることにより、停電時に排水弁８は閉じた状態となるので、排水が継続されることを防げる。
【００４０】
＜第２実施形態＞
次に、本発明の第２実施形態について説明する。本発明の第２実施形態に係る給湯装置の構成を図２に示す。本実施形態では、上述した第１実施形態に対して電子制御ミキシング部を追加し、複数の系統において個別に温度調整して給湯可能としたものである。図２において、第１実施形態と同様の構成については図１と同じ符号を付している。
【００４１】
図２に示す本実施形態に係る給湯装置２００では、給湯配管２において分岐部７と逆止弁１１の間に分岐部１９を設け、分岐部１９に一端部を接続された給湯配管１８を備えている。即ち、給湯配管１８は、給湯配管２から分岐した配管である。
【００４２】
給湯配管１８の他端部は、電子制御ミキシング部２４の入湯口２４Ａに接続されている。そして、給湯配管１８の途中には逆止弁２０が設けられる。
【００４３】
また、給水配管４において減圧弁１２と逆止弁１３の間に分岐部２２を設け、分岐部２２には給水配管２１の一端部を接続している。即ち、給水配管２１は、給水配管４から分岐した配管である。
【００４４】
給水配管２１の他端部は、電子制御ミキシング部２４の入水口２４Ｂに接続されている。そして、給水配管２１の途中には逆止弁２３が設けられる。
【００４５】
電子制御ミキシング部２４の出湯口２４Ｃには、外部給湯配管２６の一端部が接続される。外部給湯配管２６の途中には上流側から順に、温度センサー２７、及び止水栓２５が設けられる。
【００４６】
制御部２８は、温度センサー２７による測定結果が所定の設定温度となるように電子制御ミキシング部２４を制御する。なお、上記設定温度は、電子制御ミキシング部３による温度調整の設定温度と同じでも異なっていてもよい。
【００４７】
止水栓２６が開いている場合、ボイラー１から吐出されて給湯配管１７、給湯配管２及び給湯配管１８を介して給水された高温水と、給水配管４及び給水配管２１を介して給水された低温水とが電子制御ミキシング部２４によって混合され、混合によって生成された設定温度の湯が外部給湯配管２６を通して外部へ給湯される。
【００４８】
また、止水栓５及び止水栓２５が閉まっているときに、給湯配管２内に貯まっている高温水の温度が低下し、水温が閾値温度以下となると、排水弁８が開き、給湯配管２及び給湯配管１８内に貯まっている水が排水される。なお、このとき、逆止弁２０より下流側（電子制御ミキシング部２４側）の水は逆流しないので排水されない。これにより、給水配管２１を介して給水される水が電子制御ミキシング部２４及び給湯配管１８を介して排水されることを抑制できる。
【００４９】
このような低温水の排水が行われると、水流の発生によってボイラー１が作動し、ボイラー１により加熱された高温水が給湯配管１７を介して給湯配管２に給水される。これにより、温度センサー１０による測定結果が上記閾値温度を超えると、制御部１４によって排水弁８が閉じられる。従って、高温水が給湯配管２及び給湯配管１８（及び分岐管１５）内に貯められる。この後、再び給湯配管２内の水の温度が低下すると、排水弁８が開いて排水されて、新たな高温水が供給されることとなる。
【００５０】
このように、止水栓５及び止水栓２５が閉められた状態で、給湯配管１８内には常に高温水が貯められていることになる。従って、この状態で止水栓２５を開けば、給湯配管１８内に貯められた高温水が電子制御ミキシング部２４に給水され、設定温度の湯が外部給湯配管２６を通して外部に給湯される。つまり、止水栓２５を開いてから短時間で適温水が給水されることとなる。なお、止水栓５を開いても短時間で適温水が給水されるのは、第１実施形態と同様である。
【００５１】
このように本実施形態によれば、複数の給湯系統におけるそれぞれの止水栓を開いてから適温水が給水されるまでの時間を短縮できる。
【００５２】
なお、本実施形態の変形例として、３つ以上の給湯系統を設けることも可能である。
【００５３】
以上、本発明の実施形態について説明したが、本発明の趣旨の範囲内であれば、実施形態は種々の変形が可能である。
【００５４】
例えば、上記の実施形態において、温度センサー１０は、分岐管１５に配置するようにしてもよい。
【符号の説明】
【００５５】
１  ボイラー
２  給湯配管
３  電子制御ミキシング部（混合部）
４  給水配管
５  止水栓（止水手段）
６  外部給湯配管
７  分岐部
８  排水弁（排水部）
９  減圧弁
１０  温度センサー（温度測定部）
１１  逆止弁
１２  減圧弁
１３  逆止弁
１４  制御部
１５  分岐管
１６  温度センサー
１７  給湯配管
１８  給湯配管
１９  分岐部
２０  逆止弁
２１  給水配管
２２  分岐部
２３  逆止弁
２４  電子制御ミキシング部
２５  止水栓（第２の止水手段）
２６  外部給湯配管
２７  温度センサー
２８  制御部
１００、２００  給湯装置
【図１】
2015031456.tif 000003
【図２】
2015031456.tif 000004